(57)【要約】【課題】  コストが安価でパック用ゲルシートを取り出しやすく、液体の流出もないパック用ゲルシートの包装材を提供する。【解決手段】  美容用のパック用ゲルシート１２を収容する内側フィルム１４を設け、内側フィルム１４を折畳み用罫線１６で二つ折りに形成し、パック用ゲルシート１２を挟持する。内側フィルム１４を包むラミネートパック２２が設けられ、内側フィルム１４の折畳み用罫線１６の両端部側の側面解放部に、折畳み用罫線１６に対して交差する方向に設けられた閉鎖用折罫線１８，２０を形成する。閉鎖用折罫線１８，２０で互いに重ねられた内側フィルム１４を、同じ方向に折り曲げて、内側フィルム１４の側面解放部を閉じる。内側フィルム１４は、互いに重ねられた部分で、フィルム１４を部分的に熱溶着しても良い。【選択図】        図１
2005035653.tif 000002
【特許請求の範囲】
【請求項１】
パック用ゲルシートを収容する内側フィルムを設け、この内側フィルムを折畳み用罫線で二つ折りに形成して上記パック用ゲルシートを挟持し、上記内側フィルムを包む外装材が設けられ、上記内側フィルムの折畳み用罫線の両端部側の側面解放部に、上記折畳み用罫線に対して交差する方向に設けられた閉鎖用折罫線を形成し、上記閉鎖用折罫線で互いに重ねられた上記内側フィルムを同じ方向に折り曲げて、上記内側フィルムの上記側面解放部を閉じたことを特徴とするパック用ゲルシートの包装材。
【請求項２】
上記内側フィルムは、互いに重ねられた部分で部分的に弱く接合されていることを特徴とする請求項１記載のパック用ゲルシートの包装材。
【請求項３】
上記閉鎖用折罫線よりも外側部分の互いに重ねられたフィルムを弱く接合してなることを特徴とする請求項１または２記載のパック用ゲルシートの包装材。
【請求項４】
上記内側フィルムの両側の閉鎖用折罫線間の開口部は、上記互いに重ねられたフィルムが端縁部で弱く接合されていることを特徴とする請求項１，２または３記載のパック用ゲルシートの包装材。
【請求項５】
パック用ゲルシートを収容する内側フィルムを設け、この内側フィルムを重ねて上記パック用ゲルシートを挟持し、上記内側フィルムを包む外装材が設けられ、上記内側フィルムの各辺を互いに重ねた状態で、閉鎖用折罫線で上記内側フィルムを同じ方向に折り曲げて、上記内側フィルムの上記側面解放部を閉じたことを特徴とするパック用ゲルシートの包装材。
【発明の詳細な説明】
【技術分野】
【０００１】
この発明は、シート状に形成された美容用のパック用ゲルシートを包装するパック用ゲルシートの包装材に関する。
【背景技術】
【０００２】
従来、美容用のパック剤として、保形性を有してシート状に形成されたパック用ゲルシートがある。このようなパック用ゲルシートのゲルは、ポリアクリル酸やポリアクリル酸塩、多価アルコール類、水、外部架橋剤を含有した基材が用いられている。しかし、皮膚を湿潤状態に保つために液状成分を多く含有させると基材が非常に柔らかくなり、取り扱い難くなる。しかも、このような基材は架橋剤による架橋処理が必要であるが、一般に架橋硬化時間が長いために、加工処理を行えるようになるまでかなりの時間が必要となり、加工作業性がきわめて悪いものである。また、たとえ加工できるようになったとしてもゲル状基材が柔らかいので、切断刃にゲルが付着し切断しがたいという問題もある。
【０００３】
この問題を解決するため、特許文献１に開示されている化粧用ゲルシートの収納構造が提案されている。これは、中央部に凹部が形成された成形シートと、この凹部を密閉するように剥離可能に成形シートに接着されているカバーシートが設けられたものである。そして、凹部の中にゲルを入れ、カバーシートで密封した構造となっている。この化粧用ゲルシートの収納構造によれば、基材が柔らかくても、成形された固い凹部にゲルシートを収容すればよいので、架橋前で流動性があっても流れ出すことがなく、加工作業を行うことができる。
【特許文献１】特開平１１−２２１１１７号公報
【発明の開示】
【発明が解決しようとする課題】
【０００４】
上記特許文献１のように、パック用ゲルシートを成形シートで包装する場合、成形シートは適度な剛性を有するポリエチレンやポリプロピレンが使用され、中央部にはブリスター成形や金型成形等によって凹部が形成されるため、包装材のコストが高いものであった。また、カバーシートが必要であり、カバーシートを成形シートに接着する工程があり、この点からもコストが増大していた。
【０００５】
一方、パック用ゲルシートを袋状のラミネートパック等にそのまま入れると、パック用ゲルシートの液体で、ラミネートパックの内側にパック用ゲルシートが密着し、取り出しにくくなる。さらに、無理に引き出そうとするとパック用ゲルシートが破損してしまう恐れがあった。
【０００６】
この発明は上記従来の問題点に鑑みてなされたものであり、コストが安価でパック用ゲルシートを取り出しやすく、液体の流出もないパック用ゲルシートの包装材を提供することを目的とする。
【課題を解決するための手段】
【０００７】
この発明は、美容用のパック用ゲルシートを収容する内側フィルムを設け、この内側フィルムを折畳み用罫線で二つ折りに形成して上記パック用ゲルシートを挟持し、上記内側フィルムを包む外装材が設けられ、上記内側フィルムの折畳み用罫線の両端部側の側面解放部に、上記折畳み用罫線に対して交差する方向に設けられた閉鎖用折罫線を形成し、上記閉鎖用折罫線で互いに重ねられた上記内側フィルムを同じ方向に折り曲げて、上記内側フィルムの上記側面解放部を閉じたパック用ゲルシートの包装材である。
【０００８】
上記内側フィルムは、互いに重ねられた部分で、部分的に熱や圧力、超音波等で弱く接合されていても良い。また、上記閉鎖用折罫線よりも外側部分の互いに重ねられたフィルムを、熱や圧力、超音波等で弱く接合してなるものでも良い。さらに、上記内側フィルムの両側の閉鎖用折罫線間の開口部も、上記互いに重ねられたフィルムが端縁部で適宜弱く接合されていても良い。
【０００９】
この発明は、美容用のパック用ゲルシートを収容する内側フィルムを設け、この内側フィルムを重ねて上記パック用ゲルシートを挟持し、上記内側フィルムを包む外装材が設けられ、上記内側フィルムの各辺を互いに重ねた状態で、閉鎖用折罫線で上記内側フィルムを同じ方向に折り曲げて、上記内側フィルムの上記側面解放部を閉じたパック用ゲルシートの包装材である。
【００１０】
互いに重ねられた上記内側フィルムは、各々異なる硬さ、異なる色、または異なる形状に適宜選択的に設定される。
【発明の効果】
【００１１】
この発明のパック用ゲルシートの包装材は、簡単な構造であり、製造が容易でコストが安価である。しかも、パック用ゲルシートが、取り出しやすく、またゲルシートの損傷や乾燥、変質を防ぐことができる。
【発明を実施するための最良の形態】
【００１２】
以下、この発明の実施形態について図面に基づいて説明する。図１、図２は、この発明の一実施形態を示すものであり、この実施形態のパック用ゲルシートの包装材１０は、美容用のパック用ゲルシート１２を包む内側フィルム１４が設けられている。内側フィルム１４は、合成樹脂製の透明な薄いシートで作られ、素材は、ＰＥＴ、ＰＰ、ＰＥ等、自由に設定可能である。内側フィルム１４は長方形に形成され、長手方向に対して直角な折畳み用罫線１６が設けられている。この折畳み用罫線１６で、内側フィルム１４が二つ折りされ、その間にパック用ゲルシート１２が挟持されている。
【００１３】
内側フィルム１４の長手方向の両端に位置する一対の端部１４ａ，１４ｂは、折り畳み状態で位置がずれており、開封するときに長い方の端部１４ｂを押さえて短い方の端部１４ａを引き上げると容易に開くことができる。
【００１４】
内側フィルム１４の折畳み用罫線１６に対してほぼ直角に位置する一対の側縁部１４ｃ，１４ｄの少し内側には、閉鎖用折罫線１８，２０がそれぞれ設けられている。内側フィルム１４は閉鎖用折罫線１８，２０により、端部１４ａが位置する側にわずかな角度で折り曲げている。折畳み用罫線１６で二つ折りされて重ねられた一対の内側フィルム１４は、閉鎖用折罫線１８，２０で側方の開口部が閉鎖され軽く係止されている。
【００１５】
内側フィルム１４は、図２に示すように、外側シートであるラミネートパック２２に包装されている。ラミネートパック２２は、周囲が熱溶着され、密封されている。
【００１６】
この実施形態のパック用ゲルシート１２の形状は、ゆるやかに湾曲した雨滴形であり、長手方向の一方の端部が向かい合わせに部分的に連結されている。パック用ゲルシート１２は、一対の雨滴形を分離して両目の下にそれぞれ貼るものである。雨滴形の一方の端部１２ａは直径が大きい円弧で形成され、端部１２ａから離れるに従いパック用ゲルシート１２の幅が狭くなり、反対側の端部１２ｂは直径が小さい円弧で形成されている。端部１２ａ付近の互いに一番近い部分に一対の雨滴形を連結する連結部２４が形成されている。端部１２ｂ付近の互いに一番近い部分にも一対の雨滴形を連結する連結部２６が形成されている。なお、連結部２４，２６は適宜一方だけでも良く、連結されないものでも良い。
【００１７】
パック用ゲルシート１２の組成は、例えば寒天１．５％（０．５〜５％）、キサンタンガム０．８％（０．０１〜３％）、ローカストビーンガム０％（０〜３％）、フェノキシエタノール０．２％、１．３−ブチレングリコール４％、グリセリン１０（５〜４０％）、ポリアクリル酸又はポリアクリル酸ナトリウム０．３（０．０１〜３％）、残りは精製水である。また、その他に適宜美容成分等が添加される。
【００１８】
次に、この実施形態のパック用ゲルシート１２を使用するときは、ラミネートパック２２の一端部を切断して、二つ折りの内側フィルム１４で包まれたパック用ゲルシート１２を取り出す。二つ折りの内側フィルム１４を展開し、パック用ゲルシート１２を内側フィルム１４から剥がす。そして、パック用ゲルシート１２の連結部２４，２６を手で切断し、顔の眼下に貼付する。パック用ゲルシート１２は、いずれの面を顔に貼りつけても良い。パック用ゲルシート１２の、大きい円弧で形成された端部１２ａを目じり側、小さい円弧で形成された端部１２ｂを目頭側にして、目の輪郭に平行にシート１２が下方へ湾曲するように貼り付ける。この状態で所定時間放置する。
【００１９】
この実施形態のパック用ゲルシートの包装材１０によれば、水分の多いパック用ゲルシート１２を内側フィルム１４に挟んで保持し、容易に包装することができる。特に、内側フィルム１４とラミネートパック２２の材料は、いずれもフィルムだけなので、製造コストが安価で、包装が簡単である。また薄形であるため、保管や運搬の際に場所を取らず、便利である。さらに、パック用ゲルシート１２は高含水ゲルであり自身の粘着性により、パック用ゲルシート１２は内側フィルム１４の内側に密着し、位置ずれやはがれを起こさず、安定して包装される。これによりパック用ゲルシート１２が含有する液体が内側フィルム１４から漏れることがなく、品質を保つことができる。このため、内側フィルム１４がラミネートパック２２の内側に密着することがなく、また手に液体が付着することもなく、取り出しやすいものとなる。さらに、内側フィルム１４の内側に美容成分を含む液体を注ぎ、パック用ゲルシート１２をその液体に浸すこともできる。この場合、美容成分がパック用ゲルシート１２の表面及び内部に浸透し、パック中には顔に吸収され、美容効果を高めることができる。内側フィルム１４の二つ折りされた一対の端部１４ａ，１４ｂは、一方の端部１４ａが短く形成され段差が生じているため、内側フィルム１４を開封するときに端部１４ａを持って引き上げるだけで展開され、開封を容易にする。
【００２０】
なお、この発明のパック用ゲルシートの包装材は、上記実施形態に限定されるものではなく、図４に示すように、熱や超音波溶着等により部分的なポイント溶着部３０を形成しても良い。これにより、内側フィルム１４内でパック用ゲルシート１４が安定に保持される。また、内側フィルム１４内で、パック用ゲルシート１４がずれないようにするだけなら、ポイント溶着部３０を形成するだけでも良い。
【００２１】
また、図４に示すように、閉鎖用折罫線１８，２０よりも外側部分の互いに重ねられた内側フィルム１４を、熱や圧力、超音波等で簡易に接着部３２を形成しても良い。この接合は、容易に開封可能な程度に弱く接着する。さらに、内側フィルム１４の両側の閉鎖用折罫線１８，２０間の開口部にも、互いに重ねられた内側フィルム１４が端縁部で簡易に弱く接合された接着部３４を形成しても良い。
【００２２】
また、内側フィルム１４の両側の閉鎖用折罫線１８，２０間の二つ折りされた一対の端部１４ａ，１４ｂは、図５（ａ）に示すように、接着部３４の位置を端部１４ａから折り畳み用罫線１６側に後退した位置に形成しても良く、図５（ｂ）に示すように、端部１４ｂの中央部に保持片３６を突出させたものでも良い。また、図５（ｃ）に示すように、端部１４ｂの中央部に保持凹部３８を形成したものでも良い。これらの構成により、内側フィルム１４をより容易に開くことができる。さらに、二つ折りされた一対の端部１４ａ，１４ｂは、図５（ｄ）に示すように、互いに同じ位置に重なっていても、接着部３４が端部１４ａ，１４ｂから後退した位置にあれば、端部１４ａまたは１４ｂを保持して容易に開封することができる。
【００２３】
さらに、図６に示すように、美容用のパック用ゲルシート１２を収容する内側フィルム４４を、表側フィルム４４ａと裏側フィルム４４ｂとにより構成し、２枚のフィルム４４ａ，４４ｂを重ねて、パック用ゲルシート１２を挟持しても良い。この場合も、内側フィルム４４を互いに重ねた状態で、各辺のうちの３辺に沿って閉鎖用折罫線４６，４７，４８で内側フィルム４４を同じ方向に折り曲げて、内側フィルム４４の側面解放部を閉じたものでも良い。この場合も、閉鎖用折罫線４６，４７，４８が設けられていない辺の位置は、表側フィルム４４ａの端部の位置が、裏側フィルム４４ｂの端部辺の位置よりも延出した位置にある。
【００２４】
また、各閉鎖用折罫線４６，４７，４８に沿って、接着部を形成しても良く、ポイント接着部を上記実施形態のように適宜形成しても良い。
【００２５】
２枚のフィルムを重ねた内側フィルム４４によりは、表裏のフィルムで硬さを変えたり、異なる色、または異なる形状に適宜選択的に設定しても良い。硬さを変えることにより、肌に貼り付ける方の面を柔らかいフィルムとして、使用者にわかりやすくしたり、一方のフィルムを剥離しやすくしても良い。また一方のフィルムの色を変えることにより、同様に使用者に対して貼付面を表示したり、見やすいものとしたりすることができる。さらに、２枚のフィルムの形状を互いに異なるものとし、２枚重ねの内側の重なり部分に閉鎖用折罫線４６，４７，４８を形成することも可能である。
【００２６】
なお、接着や溶着位置は、パック用ゲルシートを囲む多角形や円形に熱溶着する等、適宜変更可能である。また、パック用ゲルシートの形状は、貼る部位に合わせて適宜形状を変更することができ、パック用ゲルシートの成分も自由に設定可能である。内側フィルムやラミネートパックの素材や形状も、適宜変更可能である。
【図面の簡単な説明】
【００２７】
【図１】この発明の一実施形態のパック用ゲルシートの包装材の斜視図である。
【図２】この実施形態のパック用ゲルシートの包装材の正面図である。
【図３】この実施形態のパック用ゲルシートの使用状態を示す斜視図である。
【図４】この発明のパック用ゲルシートの包装材の他の実施形態の正面図である。
【図５】この発明のパック用ゲルシートの包装材の内側フィルムの変形例を示す部分正面図である。
【図６】この発明のパック用ゲルシートの包装材のさらに他の実施形態の正面図である。
【符号の説明】
【００２８】
１０  パック用ゲルシートの包装材
１２  パック用ゲルシート
１４  内側フィルム
１６  折畳み用罫線
１８，２０  閉鎖用折罫線
２２  ラミネートパック
【図１】
2005035653.tif 000003
【図２】
2005035653.tif 000004
【図３】
2005035653.tif 000005
【図４】
2005035653.tif 000006
【図５】
2005035653.tif 000007
【図６】
2005035653.tif 000008